(57)【要約】【課題】監視領域の状況に応じた適切な通報先に異常検知情報を迅速に通報する。【解決手段】監視装置１１０において、利用者のＩＤと通報先とを対応付けて登録した利用者データベース１１８と、利用者データベース１１８に登録された通報先に対応するＩＤの優先順位を定めた優先順位テーブル１１７と、監視状況情報を取得する監視状況取得部１１５１と、監視状況情報の要求及びＩＤを受信し、通報先端末１３０にＩＤ情報入力要求及び監視状況情報を送信する送受信部１１５６と、監視状況情報の要求を行った利用者のＩＤに基づいて優先順位を変更する優先順位変更部１１５２と、センサ１１１が異常を検知した場合に、異常検知情報を優先順位テーブル１１７に定められたＩＤの優先順位に従って、利用者データベース１１８に登録された通報先端末１３０に送信する異常通報部１１５４とを備えた。【選択図】        図１
2006285687.tif 000002
【特許請求の範囲】
【請求項１】
監視領域における異常を検知するセンサを備え、ネットワークで通報先端末と接続された監視装置において、
利用者に固有の利用者識別情報と利用者の通報先端末とを対応付けて登録した利用者情報を記憶する利用者情報記憶手段と、
前記利用者情報に登録された前記通報先端末に対応する前記利用者識別情報の優先順位を定めた優先順位情報を記憶する優先順位記憶手段と、
監視領域の状態を示す監視状況情報を取得する監視状況取得手段と、
前記通報先端末から送信された前記監視状況情報の要求及び前記利用者識別情報を受信し、前記通報先端末に前記利用者識別情報入力要求及び前記監視状況取得手段によって取得した前記監視状況情報を送信する送受信手段と、
前記通報先端末から前記監視状況情報の要求を行った利用者の前記利用者識別情報に基づいて、前記優先順位情報における前記利用者識別情報の優先順位を変更する優先順位変更手段と、
前記センサが異常を検知した場合に、前記通報先端末に異常が検知されたことを示す異常検知情報を、前記優先順位情報に定められた前記利用者識別情報の優先順位に従って、前記利用者情報に登録された前記利用者識別情報に対応する前記通報先端末に送信する異常通報手段と、
を備えることを特徴とする監視装置。
【請求項２】
前記優先順位変更手段は、更に、前記送受信手段によって前記通報先端末から前記監視状況情報の要求を受信した場合に、前記通報先端末により前記監視状況情報を要求した利用者の前記利用者識別情報を、前記優先順位情報における優先順位の最上位に変更すること、
を特徴とする請求項１に記載の監視装置。
【請求項３】
前記優先順位情報は、初期設定時の前記優先順位と現在における前記優先順位とを登録し、
前記優先順位変更手段は、前記優先順位情報における現在の優先順位において、前記通報先端末により前記監視状況情報を要求した利用者の前記利用者識別情報を優先順位の最上位に変更するとともに、最上位以外の優先順位を前記優先順位情報における前記初期設定の優先順位に従って変更すること、
を特徴とする請求項２に記載の監視装置。
【請求項４】
前記優先順位情報は、初期設定時の前記優先順位と現在における前記優先順位とを登録し、
前記優先順位変更手段は、前記優先順位情報における現在の優先順位において、前記通報先端末により前記監視状況情報を要求した利用者の前記利用者識別情報を優先順位の最上位に変更するとともに、最上位以外の優先順位を前記優先順位情報における変更前の現在の優先順位に従って変更すること、
を特徴とする請求項２に記載の監視装置。
【請求項５】
監視領域における異常を検知するセンサを備え、ネットワークで通報先端末と接続された監視装置において、
利用者に固有の利用者識別情報と利用者の通報先端末とを対応付けて登録した利用者情報を記憶する利用者情報記憶手段と、
前記通報先端末を利用する利用者の通報先の優先順位を定めた優先順位情報を記憶する優先順位記憶手段と、
監視領域の状態を示す監視状況情報を取得する監視状況取得手段と、
前記通報先端末から送信された前記監視状況情報の要求及び前記利用者識別情報を受信するとともに前記通報先端末の発信者番号を取得し、前記通報先端末に前記利用者識別情報入力要求及び前記監視状況取得手段によって取得した前記監視状況情報を送信する送受信手段と、
前記送受信手段によって前記通報先端末から前記監視状況情報の要求を受信した場合に、前記送受信手段によって取得した前記通報先端末の発信者番号が前記利用者情報に通報先として登録されているか否かを判断し、登録されていない場合には、前記発信者番号を新たな通報先として前記利用者情報に登録する登録手段と、
前記通報先端末より前記監視状況情報の要求を行った利用者の通報先及び／又は前記登録手段によって前記利用者情報に新たな通報先として登録した前記発信者番号に基づいて、前記優先順位情報における利用者の通報先の優先順位を変更する優先順位変更手段と、
前記センサが異常を検知した場合に、前記通報先端末に異常が検知されたことを示す異常検知情報を、前記優先順位情報に定められた通報先の優先順位に従って、前記利用者情報に登録された前記利用者識別情報に対応する前記通報先端末に送信する異常通報手段と、
を備えることを特徴とする監視装置。
【請求項６】
前記優先順位変更手段は、前記登録手段によって前記通報先端末の発信者番号が前記利用者情報に登録されていない場合に、前記送受信手段によって取得した前記通報先端末の発信者番号を新たな通報先として前記優先順位情報における優先順位の最上位に変更すること、
を特徴とする請求項５に記載の監視装置。
【請求項７】
前記優先順位情報は、初期設定時の前記優先順位と現在における前記優先順位とを登録し、
前記優先順位変更手段は、前記優先順位情報における現在の優先順位において、前記送受信手段によって取得した前記通報先端末の発信者番号を新たな通報先として優先順位の最上位に変更するとともに、最上位以外の優先順位を前記優先順位情報における前記初期設定の優先順位に従って変更すること、
を特徴とする請求項６に記載の監視装置。
【請求項８】
前記優先順位情報は、初期設定時の前記優先順位と現在における前記優先順位とを登録し、
前記優先順位変更手段は、前記優先順位情報における現在の優先順位において、前記送受信手段によって取得した前記通報先端末の発信者番号を新たな通報先として優先順位の最上位に変更するとともに、最上位以外の優先順位を前記優先順位情報における変更前の現在の優先順位に従って変更すること、
を特徴とする請求項６に記載の監視装置。
【請求項９】
監視領域の状態を示す監視状況情報を取得する監視状況取得ステップと、
ネットワークで監視装置と接続された通報先端末から送信された前記監視状況情報の要求及び利用者に固有の利用者識別情報を受信し、前記通報先端末に前記利用者識別情報入力要求及び前記監視状況取得ステップによって取得した前記監視状況情報を送信する送受信ステップと、
前記通報先端末から前記監視状況情報の要求を行った利用者の前記利用者識別情報に基づいて、前記通報先端末に対応する前記利用者識別情報の優先順位を定めた優先順位情報における前記利用者識別情報の優先順位を変更する優先順位変更ステップと、
監視領域における異常を検知するセンサが異常を検知した場合に、前記通報先端末に異常が検知されたことを示す異常検知情報を、前記優先順位情報に定められた前記利用者識別情報の優先順位に従って、前記利用者識別情報と利用者が利用する前記通報先端末とを対応付けて登録した利用者情報に登録された前記利用者識別情報に対応する前記通報先端末に送信する異常通報ステップと、
を備えることを特徴とする監視方法。
【請求項１０】
監視領域の状態を示す監視状況情報を取得する監視状況取得ステップと、
ネットワークで監視装置と接続された通報先端末から送信された前記監視状況情報の要求及び利用者に固有の利用者識別情報を受信するとともに前記通報先端末の発信者番号を取得し、前記通報先端末に前記利用者識別情報入力要求及び前記監視状況取得ステップによって取得した前記監視状況情報を送信する送受信ステップと、
前記送受信手段によって前記通報先端末から前記監視状況情報の要求を受信した場合に、前記送受信ステップによって取得した前記通報先端末の発信者番号が前記利用者識別情報と利用者が利用する前記通報先端末とを対応付けて登録した利用者情報に通報先として登録されているか否かを判断し、登録されていない場合には、前記発信者番号を新たな通報先として前記利用者情報に登録する登録ステップと、
前記通報先端末より前記監視状況情報の要求を行った利用者の通報先及び／又は前記登録ステップによって前記利用者情報に新たな通報先として登録した前記発信者番号に基づいて、前記通報先端末を利用する利用者の通報先の優先順位を定めた優先順位情報における利用者の通報先の優先順位を変更する優先順位変更ステップと、
前記センサが異常を検知した場合に、前記通報先端末に異常が検知されたことを示す異常検知情報を、前記優先順位情報に定められた通報先の優先順位に従って、前記利用者情報に登録された前記利用者識別情報に対応する前記通報先端末に送信する異常通報ステップと、
を備えることを特徴とする監視方法。
【発明の詳細な説明】
【技術分野】
【０００１】
本発明は、監視領域における異常を検知するセンサが異常を検知した場合に、異常検知情報をネットワークに接続された通報先端末に通報する監視装置及び監視方法に関するものであり、特に、通報先端末より監視状況を確認するために監視状況情報の要求をすることにより通報先の優先順位を変更することができる監視装置及び監視方法に関する。
【背景技術】
【０００２】
従来、監視装置は、監視領域に設置されているセンサが異常を検知した場合には、監視センタに警報を通報したり、ブザーなどの警報により在宅者に対して異常を報知したりするものが一般に知られている。
【０００３】
また、利用者が外出の際に異常が発生した場合には、予め登録された異常検知情報の通報先の一つ又は二つ以上を選択して異常検知情報を通報し、該選択した通報先が応答しない場合には、別の通報先を選択して異常検知情報を通報する技術が公開されている（例えば、特許文献１参照）。
【０００４】
【特許文献１】特開２００１−２９７３８４号公報
【発明の開示】
【発明が解決しようとする課題】
【０００５】
しかしながら、上記特許文献１では、常に予め登録された異常検知情報の通報先の優先順位に従って通報が行われる。そのため、監視領域の状況に対して、登録されている優先順位が最上位の通報先である利用者よりも、最上位以外の通報先である利用者に異常検知情報の第一報を通報する方が適切である場合でも、最上位の通報先である利用者に通報が行われてしまうことがある。このような場合に、登録されている優先順位の最上位以外の通報先である利用者が異常検知情報の通報を受けるまでに無駄な時間を費やすこととなり、監視領域の状況に応じた適切な通報先に異常検知情報を迅速に通報することができないという問題があった。
【０００６】
例えば、初期設定によって通報先の優先順位の最上位に設定されている者が、出張などにより監視対象から遠隔の場所におり、異常検知情報の通報を受けても即座に対処できない場合には、優先順位の最上位以外でも対応可能な者に優先的に通報したほうが早期に対処できる。このような場合にも、異常検知情報の第一報が初期設定の優先順位の最上位の者に通報され、その後に早期に対応可能である優先順位の最上位以外の者に通報されるのでは、早期に対処可能な者が通報を受けるまでに無駄な時間を費やすこととなる。
【０００７】
また、初期設定で通報先の優先順位の設定を行う時点において、監視装置が異常を検知した際にどの通報先に優先的に通報するべきか明確でない場合や、初期設定後に状況が変化することによって、最適な通報先の優先順位が変化する場合もある。このような場合に、優先順位の最上位以外の者に通報の第一報を行うことが最適であっても、最上位の者に通報され、その状況に合った最適な者への通報までに無駄な時間が費やされる。
【０００８】
さらに、優先順位の最上位に設定されている者が監視対象から遠隔の場所にいる場合や、初期設定後に状況が変化することによって最適な通報先の優先順位が変化する場合に、その時点での状況に応じた最適な優先順位に設定変更するためには、初期設定の操作を再度行うか、設定変更の操作を行うなどにより通報先の優先順位を設定変更しなければならず、その状況に合った最適な者への通報までに無駄な時間が費やされる。
【０００９】
本発明は、上記に鑑みてなされたものであって、監視状況の確認のために監視状況情報の要求を行った利用者の情報をもとに異常検知情報の通報先の優先順位を変更し、監視領域の状況に応じた適切な通報先に異常検知情報を迅速に通報することができる監視装置及び監視方法を得ることを目的とする。
【課題を解決するための手段】
【００１０】
上述した課題を解決し、目的を達成するために、請求項１にかかる発明は、監視領域における異常を検知するセンサを備え、ネットワークで通報先端末と接続された監視装置において、利用者に固有の利用者識別情報と利用者の通報先端末とを対応付けて登録した利用者情報を記憶する利用者情報記憶手段と、前記利用者情報に登録された前記通報先に対応する前記利用者識別情報の優先順位を定めた優先順位情報を記憶する優先順位記憶手段と、監視領域の状態を示す監視状況情報を取得する監視状況取得手段と、前記通報先端末から送信された前記監視状況情報の要求及び前記利用者識別情報を受信し、前記通報先端末に前記利用者識別情報入力要求及び前記監視状況取得手段によって取得した前記監視状況情報を送信する送受信手段と、前記通報先端末から前記監視状況情報の要求を行った利用者の前記利用者識別情報に基づいて、前記優先順位情報における前記利用者識別情報の優先順位を変更する優先順位変更手段と、前記センサが異常を検知した場合に、前記通報先端末に異常を検知した前記センサを特定する情報を含む異常検知情報を、前記優先順位情報に定められた前記利用者識別情報の優先順位に従って、前記利用者情報に登録された前記利用者識別情報に対応する前記通報先端末に送信する異常通報手段と、を備えることを特徴とする。
【００１１】
また、請求項２にかかる発明は、請求項１に記載の監視装置において、前記優先順位変更手段は、更に、前記送受信手段によって前記通報先端末から前記監視状況情報の要求を受信した場合に、前記通報先端末により前記監視状況情報を要求した利用者の前記利用者識別情報を、前記優先順位情報における優先順位の最上位に変更すること、を特徴とする。
【００１２】
また、請求項３にかかる発明は、請求項２に記載の監視装置において、前記優先順位情報は、初期設定時の前記優先順位と現在における前記優先順位とを登録し、前記優先順位変更手段は、前記優先順位情報における現在の優先順位において、前記通報先端末により前記監視状況情報を要求した利用者の前記利用者識別情報を優先順位の最上位に変更するとともに、最上位以外の優先順位を前記優先順位情報における前記初期設定の優先順位に従って変更すること、を特徴とする。
【００１３】
また、請求項４にかかる発明は、請求項２に記載の監視装置において、前記優先順位情報は、初期設定時の前記優先順位と現在における前記優先順位とを登録し、前記優先順位変更手段は、前記優先順位情報における現在の優先順位において、前記通報先端末により前記監視状況情報を要求した利用者の前記利用者識別情報を優先順位の最上位に変更するとともに、最上位以外の優先順位を前記優先順位情報における変更前の現在の優先順位に従って変更すること、を特徴とする。
【００１４】
また、請求項５にかかる発明は、請求項１に記載の監視装置において、監視領域における異常を検知するセンサを備え、ネットワークで通報先端末と接続された監視装置において、利用者に固有の利用者識別情報と利用者の通報先端末とを対応付けて登録した利用者情報を記憶する利用者情報記憶手段と、前記通報先端末を利用する利用者の通報先の優先順位を定めた優先順位情報を記憶する優先順位記憶手段と、監視領域の状態を示す監視状況情報を取得する監視状況取得手段と、前記通報先端末から送信された前記監視状況情報の要求及び前記利用者識別情報を受信するとともに前記通報先端末の発信者番号を取得し、前記通報先端末に前記利用者識別情報入力要求及び前記監視状況取得手段によって取得した前記監視状況情報を送信する送受信手段と、前記送受信手段によって前記通報先端末から前記監視状況情報の要求を受信した場合に、前記送受信手段によって取得した前記通報先端末の発信者番号が前記利用者情報に通報先として登録されているか否かを判断し、登録されていない場合には、前記発信者番号を新たな通報先として前記利用者情報に登録する登録手段と、前記通報先端末より前記監視状況情報の要求を行った利用者の通報先及び／又は前記登録手段によって前記利用者情報に新たな通報先として登録した前記発信者番号に基づいて、前記優先順位情報における利用者の通報先の優先順位を変更する優先順位変更手段と、前記センサが異常を検知した場合に、前記通報先端末に異常を検知した前記センサを特定する情報を含む異常検知情報を、前記優先順位情報に定められた通報先の優先順位に従って、前記利用者情報に登録された前記利用者識別情報に対応する前記通報先端末に送信する異常通報手段と、を備えることを特徴とする。
【００１５】
また、請求項６にかかる発明は、請求項５に記載の監視装置において、前記優先順位変更手段は、前記登録手段によって前記通報先端末の発信者番号が前記利用者情報に登録されていない場合に、前記送受信手段によって取得した前記通報先端末の発信者番号を新たな通報先として前記優先順位情報における優先順位の最上位に変更すること、を特徴とする。
【００１６】
また、請求項７にかかる発明は、請求項６に記載の監視装置において、前記優先順位情報は、初期設定時の前記優先順位と現在における前記優先順位とを登録し、前記優先順位変更手段は、前記優先順位情報における現在の優先順位において、前記送受信手段によって取得した前記通報先端末の発信者番号を新たな通報先として優先順位の最上位に変更するとともに、最上位以外の優先順位を前記優先順位情報における前記初期設定の優先順位に従って変更すること、を特徴とする。
【００１７】
また、請求項８にかかる発明は、請求項６に記載の監視装置において、前記優先順位情報は、初期設定時の前記優先順位と現在における前記優先順位とを登録し、前記優先順位変更手段は、前記優先順位情報における現在の優先順位において、前記送受信手段によって取得した前記通報先端末の発信者番号を新たな通報先として優先順位の最上位に変更するとともに、最上位以外の優先順位を前記優先順位情報における変更前の現在の優先順位に従って変更すること、を特徴とする。
【００１８】
また、請求項９にかかる発明は、監視領域の状態を示す監視状況情報を取得する監視状況取得ステップと、ネットワークで監視装置と接続された通報先端末から送信された前記監視状況情報の要求及び利用者に固有の利用者識別情報を受信し、前記通報先端末に前記利用者識別情報入力要求及び前記監視状況取得ステップによって取得した前記監視状況情報を送信する送受信ステップと、前記通報先端末から前記監視状況情報の要求を行った利用者の前記利用者識別情報に基づいて、前記通報先端末の通報先に対応する前記利用者識別情報の優先順位を定めた優先順位情報における前記利用者識別情報の優先順位を変更する優先順位変更ステップと、監視領域における異常を検知するセンサが異常を検知した場合に、前記通報先端末に異常が検知されたことを示す異常検知情報を、前記優先順位情報に定められた前記利用者識別情報の優先順位に従って、前記利用者識別情報と利用者が利用する前記通報先端末とを対応付けて登録した利用者情報に登録された前記利用者識別情報に対応する前記通報先端末に送信する異常通報ステップと、を備えることを特徴とする。
【００１９】
また、請求項１０にかかる発明は、監視領域の状態を示す監視状況情報を取得する監視状況取得ステップと、ネットワークで監視装置と接続された通報先端末から送信された前記監視状況情報の要求及び利用者に固有の利用者識別情報を受信するとともに前記通報先端末の発信者番号を取得し、前記通報先端末に前記利用者識別情報入力要求及び前記監視状況取得ステップによって取得した前記監視状況情報を送信する送受信ステップと、前記送受信手段によって前記通報先端末から前記監視状況情報の要求を受信した場合に、前記送受信ステップによって取得した前記通報先端末の発信者番号が前記利用者識別情報と利用者が利用する通報先端末とを対応付けて登録した利用者情報に通報先として登録されているか否かを判断し、登録されていない場合には、前記発信者番号を新たな通報先として前記利用者情報に登録する登録ステップと、前記通報先端末より前記監視状況情報の要求を行った利用者の通報先及び／又は前記登録ステップによって前記利用者情報に新たな通報先として登録した前記発信者番号に基づいて、前記通報先端末を利用する利用者の通報先の優先順位を定めた優先順位情報における利用者の通報先の優先順位を変更する優先順位変更ステップと、前記センサが異常を検知した場合に、前記通報先端末に異常が検知されたことを示す異常検知情報を、前記優先順位情報に定められた通報先の優先順位に従って、前記利用者情報に登録された前記利用者識別情報に対応する前記通報先端末に送信する異常通報ステップと、を備えることを特徴とする。
【発明の効果】
【００２０】
請求項１にかかる発明によれば、監視状況取得手段によって、監視領域の状態を示す監視状況情報を取得し、送受信手段によって、通報先端末から送信された監視状況情報の要求及び利用者識別情報を受信し、通報先端末に利用者識別情報入力要求及び監視状況取得手段によって取得した監視状況情報を送信し、優先順位変更手段によって、通報先端末より監視状況情報の要求を行った利用者の利用者識別情報に基づいて、優先順位情報における利用者識別情報の優先順位を変更し、異常通報手段によって、センサが異常を検知した場合に通報先端末に異常が検知されたことを示す異常検知情報を、優先順位情報に定められた利用者識別情報の優先順位に従って、利用者情報に登録された利用者識別情報に対応する通報先端末に送信する。そのため、監視対象から離れた場所から優先順位の設定操作を行うために監視装置まで戻ることが不要となり、遠隔地からでも監視状況の確認と同時に優先順位の変更を簡易に行うことができる。また、優先順位の変更によって、監視領域の状況に応じた適切な通報先に異常検知情報を迅速に通報することができるという効果を奏する。
【００２１】
また、請求項２にかかる発明によれば、送受信手段によって通報先端末から監視状況情報の要求を受信した場合に、優先順位変更手段よって、通報先端末により監視状況情報を要求した利用者の利用者識別情報を、優先順位情報における優先順位の最上位に変更する。そのため、監視対象から離れた場所から優先順位の設定操作を行うために監視装置まで戻ることが不要となり、遠隔地からでも監視状況の確認と同時に優先順位の変更を簡易に行うことができる。また、優先順位の変更によって、監視領域の状況に応じた適切な通報先に異常検知情報をより迅速に通報することができるという効果を奏する。
【００２２】
また、請求項３にかかる発明によれば、優先順位情報は、初期設定時の優先順位と現在における優先順位とを登録し、優先順位変更手段よって、優先順位情報における現在の優先順位において、通報先端末により監視状況情報を要求した利用者の利用者識別情報を優先順位の最上位に変更するとともに、最上位以外の優先順位を優先順位情報における初期設定の優先順位に従って変更する。そのため、最上位以外の利用者の優先順位の設定操作を行うことが不要となり、遠隔地からでも監視状況の確認と同時に優先順位の変更を簡易に行うことができる。また、優先順位の変更によって、監視領域の状況に応じた適切な通報先に異常検知情報をより迅速に通報することができるという効果を奏する。
【００２３】
また、請求項４にかかる発明によれば、優先順位情報には、初期設定時の優先順位と現在における優先順位とを登録し、優先順位変更手段は、優先順位情報における現在の優先順位において、通報先端末により監視状況情報を要求した利用者の利用者識別情報を、優先順位の最上位に変更するとともに、最上位以外の優先順位を優先順位情報における変更前の現在の優先順位に従って変更する。そのため、最上位以外の利用者の優先順位の設定操作を行うことが不要となり、遠隔地からでも監視状況の確認と同時に優先順位の変更を簡易に行うことができる。また、優先順位の変更によって、最上位以外の利用者の利用者識別情報が変更前の現在の優先順位を維持できるため、監視領域の状況に応じたより適切な通報先に異常検知情報をより迅速に通報することができるという効果を奏する。
【００２４】
また、請求項５にかかる発明によれば、監視状況取得手段によって、監視領域の状態を示す監視状況情報を取得し、送受信手段によって、通報先端末から送信された監視状況情報の要求及び利用者識別情報を受信するとともに通報先端末の発信者番号を取得し、通報先端末に利用者識別情報入力要求及び監視状況取得手段によって取得した監視状況情報を送信し、登録手段によって、送受信手段により通報先端末から監視状況情報の要求を受信した場合に、送受信手段により取得した通報先端末の発信者番号が利用者情報に通報先として登録されているか否かを判断し、登録されていない場合には、発信者番号を新たな通報先として利用者情報に登録し、優先順位変更手段によって、通報先端末より監視状況情報の要求を行った利用者の通報先及び／又は登録手段により利用者情報に新たな通報先として登録した発信者番号に基づいて、優先順位情報における利用者の通報先の優先順位を変更し、異常通報手段によって、センサが異常を検知した場合に、通報先端末に異常が検知されたことを示す異常検知情報を、優先順位情報に定められた通報先の優先順位に従って、利用者情報に登録された利用者識別情報に対応する通報先端末に送信する。そのため、監視対象から離れた場所から優先順位の設定操作を行うために監視装置まで戻ることが不要となり、遠隔地からでも監視状況の確認と同時に優先順位の変更を簡易に行うことができる。また、新たな通報先の優先順位を変更することによって、監視領域の状況に応じた適切な通報先に異常検知情報を迅速に通報することができるという効果を奏する。
【００２５】
また、請求項６にかかる発明によれば、優先順位変更手段によって、登録手段により通報先端末の発信者番号が利用者情報に登録されていない場合に、送受信手段により取得した通報先端末の発信者番号を新たな通報先として優先順位情報における優先順位の最上位に変更する。そのため、監視対象から離れた場所から優先順位の設定操作を行うために監視装置まで戻ることが不要となり、遠隔地からでも監視状況の確認と同時に優先順位の変更を簡易に行うことができる。また、新たな通報先を優先順位の最上位に変更し、優先順位を変更することによって、監視領域の状況に応じた適切な通報先に異常検知情報をより迅速に通報することができるという効果を奏する。
【００２６】
また、請求項７にかかる発明によれば、優先順位情報は、初期設定時の優先順位と現在における優先順位とを登録し、優先順位変更手段によって、優先順位情報における現在の優先順位において、送受信手段により取得した前記通報先端末の発信者番号を新たな通報先として優先順位の最上位に変更するとともに、最上位以外の優先順位を前記優先順位情報における前記初期設定の優先順位に従って変更する。そのため、最上位以外の利用者の優先順位の設定操作を行うことが不要となり、遠隔地からでも監視状況の確認と同時に優先順位の変更を簡易に行うことができる。また、新たな通報先を優先順位の最上位に変更し、優先順位を変更することによって、監視領域の状況に応じた適切な通報先に異常検知情報をより迅速に通報することができるという効果を奏する。
【００２７】
また、請求項８にかかる発明によれば、優先順位情報は、初期設定時の優先順位と現在における優先順位とを登録し、優先順位変更手段によって、優先順位情報における現在の優先順位において、送受信手段により取得した通報先端末の発信者番号を新たな通報先として優先順位の最上位に変更するとともに、最上位以外の優先順位を優先順位情報における変更前の現在の優先順位に従って変更する。そのため、最上位以外の利用者の優先順位の設定操作を行うことが不要となり、遠隔地からでも監視状況の確認と同時に優先順位の変更を簡易に行うことができる。また、新たな通報先を優先順位の最上位に変更し、優先順位を変更することによって、最上位以外の利用者の通報先が変更前の現在の優先順位を維持できるため、監視領域の状況に応じたより適切な通報先に異常検知情報をより迅速に通報することができるという効果を奏する。
【００２８】
また、請求項９にかかる発明によれば、監視状況取得ステップによって、監視領域の状態を示す監視状況情報を取得し、送受信ステップによって、ネットワークで監視装置と接続された通報先端末から送信された監視状況情報の要求及び利用者に固有の利用者識別情報を受信し、通報先端末に利用者識別情報入力要求及び監視状況取得ステップにより取得した監視状況情報を送信し、優先順位変更ステップによって、通報先端末から監視状況情報の要求を行った利用者の利用者識別情報に基づいて、通報先端末に対応する利用者識別情報の優先順位を定めた優先順位情報における利用者識別情報の優先順位を変更し、異常通報ステップによって、監視領域における異常を検知するセンサが異常を検知した場合に、通報先端末に異常が検知されたことを示す異常検知情報を、優先順位情報に定められた利用者識別情報の優先順位に従って、利用者識別情報と利用者が利用する通報先端末とを対応付けて登録した利用者情報に登録された利用者識別情報に対応する通報先端末に送信する。そのため、監視対象から離れた場所から優先順位の設定操作を行うために監視装置まで戻ることが不要となり、遠隔地からでも監視状況の確認と同時に優先順位の変更を簡易に行うことができる。また、優先順位の変更によって、監視領域の状況に応じた適切な通報先に異常検知情報を迅速に通報することができるという効果を奏する。
【００２９】
また、請求項１０にかかる発明によれば、監視状況取得ステップによって、監視領域の状態を示す監視状況情報を取得し、送受信ステップによって、ネットワークで監視装置と接続された通報先端末から送信された監視状況情報の要求及び利用者に固有の利用者識別情報を受信するとともに通報先端末の発信者番号を取得し、通報先端末に利用者識別情報入力要求及び監視状況取得ステップにより取得した監視状況情報を送信し、登録ステップによって、送受信手段によって通報先端末から監視状況情報の要求を受信した場合に、送受信ステップによって取得した通報先端末の発信者番号が利用者識別情報と利用者が利用する通報先端末とを対応付けて登録した利用者情報に通報先として登録されているか否かを判断し、登録されていない場合には、発信者番号を新たな通報先として利用者情報に登録し、優先順位変更ステップによって、通報先端末より監視状況情報の要求を行った利用者の通報先及び／又は登録ステップにより利用者情報に新たな通報先として登録した発信者番号に基づいて、通報先端末を利用する利用者の通報先の優先順位を定めた優先順位情報における利用者の通報先の優先順位を変更し、異常通報ステップによって、センサが異常を検知した場合に、通報先端末に異常を検知したセンサを特定する情報を含む異常検知情報を、優先順位情報に定められた通報先の優先順位に従って、利用者情報に登録された利用者識別情報に対応する通報先端末に送信する。そのため、監視対象から離れた場所から優先順位の設定操作を行うために監視装置まで戻ることが不要となり、遠隔地からでも監視状況の確認と同時に優先順位の変更を簡易に行うことができる。また、新たな通報先の優先順位を変更することによって、監視領域の状況に応じた適切な通報先に異常検知情報をより迅速に通報することができるという効果を奏する。
【発明を実施するための最良の形態】
【００３０】
以下に添付図面を参照して、この発明にかかる監視装置及び監視方法の最良な実施の形態を詳細に説明する。
【００３１】
（第１の実施の形態）
まず、第１の実施の形態について、添付図面を参照して説明する。第１の実施の形態の監視システムは、センサが検知した異常検知情報を通報先端末に送信する監視システムにおいて、利用者により通報先端末から監視状況情報の要求がされた場合、その要求を行った利用者のＩＤを優先順位テーブルにおける優先順位の最上位に変更するものである。
【００３２】
図１は、本発明の第１の実施の形態にかかる監視システムの構成を示すブロック図である。本実施の形態にかかる監視システム１００は、監視装置１１０と、通報先端末１３０と、監視センタ１４０とから構成されており、監視装置１１０と通報先端末１３０、監視センタ１４０はネットワーク１２０を介して接続されている。
【００３３】
監視装置１１０は、監視領域の異常を検知して、異常検知情報を監視センタ１４０や通報先端末１３０に送信するものである。
【００３４】
ネットワーク１２０は、電話回線、無線ネットワーク、インターネットなどであって、監視装置１１０と通報先端末１３０、監視センタ１４０を接続している。
【００３５】
監視センタ１４０は、センサ１１１ａ〜１１１ｎが異常を検知した場合に、異常通報部１１５４より通報を受け、待機中の警備員に対して異常が検知された監視領域へ向かう旨の指示を出すとともに、必要に応じて警察や消防など関係機関への通報を行うセンタである。
【００３６】
通報先端末１３０は、図示しない送受信部、制御部、表示部、操作部、音声通話部などから構成されており、公知の携帯電話と同様の構成である。送受信部は、ネットワーク１２０から無線でデータの送受信を行い、制御部は通報先端末１３０の各種の制御を行う。表示部は、送信されたデータまたは入力されたデータの表示を行い、操作部は、データの入力を行う。音声通話部は、監視装置１１０から送信される異常検知情報を音声データとして受信し出力するとともに、監視装置付近にいる利用者との音声通話を行う。なお、通報先端末１３０として、公知のＰＤＡ（Personal Digital Assistants）または固定電話を用いてもよい。
【００３７】
次に監視装置の詳細について説明する。監視装置１１０は、さらに複数のセンサ１１１ａ〜１１１ｎと、マイク１１２と、スピーカ１１３と、入出力制御部１１４と、制御部１１５と、通信制御部１１６と、優先順位テーブル１１７と、利用者データベース１１８とを主に備えている。
【００３８】
センサ１１１ａ〜１１１ｎは、例えば、赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどであり、監視領域への侵入者を検知するなどの目的で設置されたものである。また、センサ１１１ａ〜１１１ｎは、監視対象の設備故障や異常状態を検知するセンサ、監視対象の温度や水位などの状態を測定するセンサなど、監視領域の異常を検出する各種センサも含まれる。
【００３９】
マイク１１２は、監視装置付近にいる者等が発した音声を取得し、スピーカ１１３は、送信された音声を出力するものである。
【００４０】
入出力制御部１１４は、センサ１１１ａ〜１１１ｎ、マイク１１２の入力制御、スピーカ１１３の出力制御により種々のデータの入出力を制御する処理部である。
【００４１】
制御部１１５は、さらに監視状況取得部１１５１と、優先順位変更部１１５２と、認証部１１５３と、異常通報部１１５４と、音声データ制御部１１５５と、送受信部１１５６とを主に備えている。
【００４２】
監視状況取得部１１５１は、センサ１１１ａ〜１１１ｎによって検知された現在の監視対象の状態及び監視装置１１０の状態などの監視領域の状態を示す監視状況情報を取得するものである。例えば、異常時の監視対象の状況を取得する他、監視装置１１０が監視領域の異常を検知して、監視センタ１４０に通報する警備装置である場合に、現在の警備モードを監視状況として取得する。ここで、警備モードとは、監視領域において異常を検知したときの警報通報状態を示すモードである。
【００４３】
優先順位変更部１１５２は、送受信部１１５６によって利用者データベース１１８に登録されている利用者の通報先端末１３０からの監視状況情報の要求を受信した場合、監視状況情報を要求した利用者のＩＤを優先順位テーブル１１７における優先順位の最上位に変更をするものである。また、最上位以外の優先順位については、初期設定の優先順位に従って変更するものである。
【００４４】
認証部１１５３は、通報先端末１３０により、監視状況情報の要求をした利用者が入力したＩＤが利用者データベース１１８に登録されている利用者のＩＤであるか否かを照合するものである。また、ＩＤと同時に暗証番号を入力したり、暗証番号と確認者コード（父＝１、母＝２、子供＝３なと、利用者に対応して予め決めた値）を入力して、登録されている利用者か否かを照合するように構成してもよい。さらに、監視状況情報を要求する際の利用者の通報先端末１３０の発信者番号を取得し、その発信者番号と予め登録されている通報先の番号とを比較照合することで、正当な利用者であるか否か確認するように構成してもよい。
【００４５】
異常通報部１１５４は、センサ１１１ａ〜１１１ｎが異常を検知すると、通報先端末１３０に対して異常が検知されたという情報を通報するものである。また、異常通報部１１５４は、センサ１１１ａ〜１１１ｎが異常を検知すると、監視センタ１４０に対して異常が検知されたという情報（警報）を通報するものである。
【００４６】
音声データ制御部１１５５は、通報先端末１３０と監視装置１１０との間における音声データの制御を行うものである。具体的には、音声データの音声認識や文字列データへの変換を行う。
【００４７】
送受信部１１５６は、通報先端末１３０から送信された監視状況情報の要求及びＩＤをネットワーク１２０を介して受信し、通報先端末１３０にＩＤ入力要求及び監視状況取得部１１５１によって取得した監視状況情報をネットワーク１２０を介して送信するものである。
【００４８】
通信制御部１１６は、監視装置１１０とネットワーク１２０との間における通信を制御するものであり、具体的にはネットワークボードなどが該当する。
【００４９】
利用者データベース１１８は、予め設定された利用者のＩＤ及び各ＩＤに対応する異常検知情報の通報先を登録したデータベースである。図２は、利用者データベース１１９の一例を示すデータ構造図である。図２に示すように、父のＩＤ、母のＩＤ、子供のＩＤの各ＩＤに対応する通報先が登録されている。
【００５０】
優先順位テーブル１１７は、通報先に対応する利用者のＩＤの優先順位を設定したデータファイルであり、メモリやハードディスクドライブ装置（ＨＤＤ）等の記憶媒体に格納されている。図３は、優先順位テーブル１１７の一例を示すデータ構造図である。図３に示すように、優先順位テーブル１１７には、初期設定がなされた利用者のＩＤの優先順位と、初期設定後に設定された利用者のＩＤの現在における優先順位が登録されている。図３に示すように、初期設定の優先順位は父のＩＤ、母のＩＤ、子供のＩＤの順で設定されており、現在は、母のＩＤ、父のＩＤ、子供のＩＤの順に設定されている。
【００５１】
次に、以上のように構成された本実施の形態にかかる異常検知通報処理について説明する。図４−１、図４−２は、第１の実施の形態にかかる通報先端末１３０によって監視状況情報の要求がされた場合における異常検知通報処理の手順を示すフローチャートである。
【００５２】
まず、利用者が監視対象の監視状況を確認したい場合には、利用者の通報先端末１３０から、監視装置１１０へ監視状況情報の要求が送信される（ステップＳ４０１）。監視装置１１０では、送受信部１１５６が通報先端末１３０から送信された監視状況情報の要求を受信し（ステップＳ４０２）、通報先端末１３０にＩＤ入力画面を送信する（ステップＳ４０３）。
【００５３】
次に、通報先端末１３０では、監視装置１１０から送信されたＩＤ入力画面を受信する（ステップＳ４０４）。ここで、図５は、送受信部１１５６によって、通報先端末１３０に送信されたＩＤ入力画面である。図５に示すように、ＩＤ入力画面には、利用者のＩＤを入力するためのＩＤフィールドと、入力終了ボタンが表示される。利用者がＩＤを入力し、入力終了ボタンを押下すると、ＩＤ入力を受付（ステップＳ４０５）、監視装置１１０に利用者のＩＤを送信する（ステップＳ４０６）。
【００５４】
監視装置１１０では、送受信部１１５６が通報先端末１３０から送信された利用者のＩＤを受信すると（ステップＳ４０７）、認証部１１５３は、受信したＩＤが利用者データベース１１８に登録されているか否かを判断することにより、認証部１１５３が利用者データベース１１８に登録されている利用者であるか否かを照合する（ステップＳ４０８）。
【００５５】
受信したＩＤが利用者データベース１１８に登録されていない場合には（ステップＳ４０８：Ｎｏ）、認証が失敗したと判断し、通報先端末１３０にエラーメッセージを送信して、利用者は再度のＩＤ入力が必要となる（ステップＳ４０９）。一方、受信したＩＤが利用者データベース１１８に登録されている場合には（ステップＳ４０８：Ｙｅｓ）、利用者が正当な利用者であると認証する。次に、監視状況取得部１１５１は、監視状況情報を取得し（ステップＳ４１０）、送受信部１１５６は、利用者の通報先端末１３０に監視状況情報を送信する（ステップＳ４１１）。
【００５６】
通報先端末１３０では、監視装置１１０から送信された監視状況情報を受信し（ステップＳ４１２）、通報先端末１３０の画面に監視状況情報を表示する（ステップＳ４１３）。
【００５７】
次に、監視装置１１０では、優先順位変更部１１５２は、監視状況情報を要求した利用者のＩＤを優先順位テーブル１１７の現在の優先順位「１」に設定する（ステップＳ４１４）。優先順位変更部１１５２は、優先順位テーブル１１７の現在の優先順位の「２」「３」に監視状況情報を要求した利用者以外の利用者ＩＤを初期設定の優先順位の順番で設定する（ステップＳ４１５）。
【００５８】
図６は、利用者により監視状況情報の要求がされた場合の優先順位の変更前と変更後の優先順位テーブル１１７である。図６に示すように、初期設定の優先順位が父のＩＤ、母のＩＤ、子供のＩＤの順に設定されており、変更前の現在の優先順位が母のＩＤ、父のＩＤ、子供のＩＤの順で設定されていた場合に、子供が監視状況情報を要求すると、変更後の現在の優先順位について子供のＩＤの通報先が最上位となり、次順位からは初期設定の優先順位である父のＩＤ、母のＩＤの順に設定されることになる。
【００５９】
センサ１１１ａ〜１１１ｎが異常を検知すると、異常通報部１１５４は、異常を検知したセンサ１１１ａ〜１１１ｎの異常検知情報を優先順位テーブル１１７の現在における「１」に設定されているＩＤの通報先の通報先端末１３０に送信する（ステップＳ４１６）。異常通報部１１５４は、通報先端末１３０から応答があるか否かを判断する（ステップＳ４１７）。
【００６０】
通報先端末１３０から応答があった場合には、他の通報先である通報先端末１３０への通報は送信せず、処理を抜ける（ステップＳ４１７：Ｙｅｓ）。通報先端末１３０からの応答がなかった場合には（ステップＳ４１７：Ｎｏ）、異常通報部１１５４は、異常を検知したセンサ１１１ａ〜１１１ｎの異常検知情報を優先順位テーブル１１７の現在における「２」に設定されているＩＤの通報先端末１３０に送信する（ステップＳ４１８）。異常通報部１１６５は、通報先端末１３０から応答があるか否かを判断する（ステップＳ４１９）。
【００６１】
通報先端末１３０から応答があった場合には、他の通報先である通報先端末１３０への通報は送信せず、処理を抜ける（ステップＳ４１９：Ｙｅｓ）。通報先端末１３０からの応答がなかった場合には（ステップＳ４１９：Ｎｏ）、異常通報部１１５４は、異常を検知したセンサ１１１ａ〜１１１ｎの異常検知情報を優先順位テーブル１１７の現在における「３」に設定されているＩＤの通報先の通報先端末１３０に送信する（ステップＳ４２０）。異常通報部１１５４は、通報先端末１３０から応答があるか否かを判断する（ステップＳ４２１）。
【００６２】
通報先端末１３０からの応答があった場合には（ステップＳ４２１：Ｙｅｓ）、異常検知通報処理は終了する。通報先端末１３０からの応答がなかった場合には、再度、異常検知情報を優先順位テーブル１１７の現在における「１」に設定されているＩＤの通報先端末１３０に送信する（ステップＳ４２１：Ｎｏ）。
【００６３】
このように、本実施の形態では、送受信部１１５６によって利用者の通報先端末１３０から監視状況情報の要求を受信した場合、監視状況情報を要求した利用者のＩＤの優先順位が最上位となり、最上位以外の利用者のＩＤは初期設定の優先順位に従って変更される。そのため、監視対象から離れた場所から優先順位の設定操作を行うために監視装置１１０まで戻ることが不要となり、更に、最上位以外の利用者について優先順位の設定操作を行うことが不要となり、遠隔地からでも監視状況の確認と同時に優先順位の変更を簡易に行うことができる。また、優先順位の変更によって、監視領域の状況に応じた適切な通報先に異常検知情報をより迅速に通報することができる。
【００６４】
（第１の実施の形態の変形例）
第１の実施の形態にかかる監視システムは、利用者によって通報先端末から監視状況情報の要求が行われた場合、監視状況情報を要求した利用者のＩＤの優先順位が最上位となり、最上位以外の利用者のＩＤについては、初期設定の優先順位に従って変更される。しかし、最上位以外の利用者のＩＤについては、直前（変更前の現在）の優先順位に従って変更されるよう構成してもよい。
【００６５】
図７−１、図７−２は、第１の実施の形態の変形例にかかる通報先端末１３０によって監視状況情報の要求がされた場合における異常検知通報処理の手順を示すフローチャートである。
【００６６】
利用者の通報先端末１３０から、監視装置１１０へ監視状況情報の要求の送信から、監視状況情報の要求をした利用者のＩＤを優先順位変更部１１５２によって優先順位テーブル１１７の現在の優先順位「１」に設定するまでの処理および流れ（ステップＳ７０１〜Ｓ７１４）については、図４−１の第１の実施の形態で説明した処理および流れ（ステップＳ４０１〜Ｓ４１４）と同様である。
【００６７】
次に、優先順位変更部１１５２は、優先順位テーブル１１７の現在の優先順位の「２」「３」に監視状況情報を要求した利用者以外の利用者ＩＤを直前の優先順位の順番で設定する（ステップＳ７１５）。
【００６８】
図８は、利用者により監視状況情報の要求がされた場合の優先順位の変更前と変更後の優先順位テーブル１１７である。図８に示すように、初期設定の優先順位が父のＩＤ、母のＩＤ、子供のＩＤの順に設定されており、変更前の現在の優先順位が母のＩＤ、父のＩＤ、子供のＩＤの順で設定されていた場合に、子供が監視状況情報を要求すると、変更後の現在の優先順位について子供のＩＤの通報先が最上位となり、次順位からは直前の優先順位である母のＩＤ、父のＩＤの順に設定されることになる。
【００６９】
センサ１１１ａ〜１１１ｎが異常を検知した場合に、異常通報部１１５４の異常を検知したセンサ１１１ａ〜１１１ｎの異常検知情報を優先順位テーブル１１７の現在における「１」で設定されているＩＤの通報先端末１３０への送信以降の処理および流れ（ステップＳ７１６〜Ｓ７２１）については、図４−２の第１の実施の形態で説明した処理および流れ（ステップＳ４１６〜Ｓ４２１）と同様である。
【００７０】
このように、第１の実施の形態の変形例である本実施の形態では、送受信部１１５６によって利用者の通報先端末１３０から監視状況情報の要求を受信した場合、監視状況情報を要求した利用者のＩＤの優先順位が最上位となり、最上位以外の利用者のＩＤは直前の優先順位に従って変更される。そのため、監視対象から離れた場所から優先順位の設定操作を行うために監視装置１１０まで戻ることが不要となり、更に、最上位以外の利用者について優先順位の設定操作を行うことが不要となり、遠隔地からでも監視状況の確認と同時に優先順位の変更を簡易に行うことができる。また、優先順位の変更によって、監視領域の状況に応じたより適切な通報先に異常検知情報をより迅速に通報することができる。
【００７１】
（第２の実施の形態）
第１の実施の形態の監視システムは、利用者により通報先端末から監視状況情報の要求がされた場合、その要求を行った利用者のＩＤを優先順位の最上位に変更するものであったが、第２の実施の形態の監視システムでは、利用者により通報先端末から監視状況情報の要求がされた場合であって、その通報先端末の発信者番号が異常検知情報の通報先として利用者データベースに登録されていない場合に、その発信者番号を利用者データベースに登録し、その発信者番号を優先順位テーブルにおける優先順位の最上位に変更するものである。以下に、添付図面を参照して、第２の実施の形態について説明する。
【００７２】
図９は、本発明の第２の実施の形態にかかる監視システムの構成を示すブロック図である。本実施の形態にかかる監視システム９００は、監視装置９１０と、通報先端末１３０と、監視センタ１４０とから構成されており、監視装置９１０と通報先端末１３０、監視センタ１４０はネットワーク１２０を介して接続されている。
【００７３】
監視装置９１０は、監視領域の異常を検知して、異常検知情報を監視センタ１４０や通報先端末１３０に送信するものであり、本実施の形態では、更に通報先端末１３０の発信者番号の取得が可能となっている。
【００７４】
ここで、ネットワーク１２０と、監視センタ１４０と、通報先端末１３０の構成及び機能は、第１の実施の形態と同様であるので、説明を省略する。
【００７５】
次に監視装置９１０の詳細について説明する。監視装置９１０は、さらに複数のセンサ１１１ａ〜１１１ｎと、マイク１１２と、スピーカ１１３と、入出力制御部１１４と、制御部９１５と、通信制御部１１６と、優先順位テーブル９１７と、利用者データベース９１８とを主に備えている。
【００７６】
ここで、センサ１１１ａ〜１１１ｎと、マイク１１２と、スピーカ１１３と、入出力制御部１１４と、通信制御部１１６の構成及び機能は、第１の実施の形態と同様であるので、説明を省略する。
【００７７】
制御部９１５は、監視状況取得部１１５１と、優先順位変更部９１５２と、認証部９１５３と、異常通報部１１５４と、音声データ制御部１１５５と、送受信部９１５６と、登録部９１５７とを主に備えている。
【００７８】
ここで、監視状況取得部１１５１と、異常通報部１１５４と、音声データ制御部１１５５の構成及び機能は、第１の実施の形態と同様であるので、省略する。
【００７９】
優先順位変更部９１５２は、送受信部１１５６によって利用者データベース９１８に登録されている利用者の通報先端末１３０からの監視状況情報の要求を受信した場合、送受信部９１５６によって取得され、登録部９１５７によって利用者データベース９１８に新たな通報先として登録された利用者の通報先端末１３０の発信者番号を優先順位テーブル９１７における優先順位の最上位に変更するものである。また、最上位以外の優先順位については、初期設定の優先順位に従って変更するものである。
【００８０】
認証部９１５３は、通報先端末１３０により、監視状況情報の要求をした利用者が入力した暗証番号が利用者データベース９１８に登録されている利用者の暗証番号であるか否かを照合するものである。
【００８１】
送受信部９１５６は、通報先端末１３０から送信された監視状況情報の要求及び暗証番号をネットワーク１２０を介して受信するとともに通報先端末１３０の発信者番号を取得し、通報先端末１３０に暗証番号入力要求及び監視状況取得部１１５１によって取得した監視状況情報をネットワーク１２０を介して送信するものである。
【００８２】
登録部９１５７は、通報先端末１３０から監視状況情報の要求が行われた場合に、送受信部９１５６によって受信した通報先端末１３０の発信者番号が、利用者データベース９１８に通報先として登録されているか否かを判断し、登録されていない場合には、その発信者番号を新たな通報先として利用者データベース９１８に登録するものである。
【００８３】
利用者データベース９１８は、予め設定された利用者の暗証番号及び各暗証番号に対応する異常検知情報の通報先を登録したデータベースである。図１０は、利用者データベース９１８の一例を示すデータ構造図である。図１０に示すように、父の暗証番号、母の暗証番号、子供の暗証番号の各暗証番号に対応する通報先が登録されている。
【００８４】
優先順位テーブル９１７は、利用者の通報先端末１３０を通報先として優先順位の設定したデータファイルであり、メモリやハードディスクドライブ装置（ＨＤＤ）等の記憶媒体に格納されている。図１１は、優先順位テーブル９１７の一例を示すデータ構造図である。図１１に示すように、優先順位テーブル９１７には、利用者によって初期設定がなされた通報先の優先順位と、初期設定後に利用者によって設定された現在の通報先の優先順位が登録されている。図１１に示すように、初期設定の優先順位は父の通報先、母の通報先、子供の通報先の順で設定されており、現在は、母の通報先、父の通報先、子供の通報先の順に設定されている。
【００８５】
次に、以上のように構成された本実施の形態にかかる異常検知通報処理について説明する。図１２−１、図１２−２は、第２の実施の形態にかかる通報先端末１３０によって監視状況情報の要求がされた場合における異常検知通報処理の手順を示すフローチャートである。
【００８６】
まず、利用者が監視対象の監視状況を確認したい場合には、利用者の通報先端末１３０から、監視装置９１０の電話番号に発呼し（ステップＳ１２０１）、監視状況情報の要求を送信する（ステップＳ１２０２）。監視装置９１０では、送受信部９１５６が通報先端末１３０から送信された監視状況情報の要求を受信し（ステップＳ１２０３）、通報先端末１３０に暗証番号入力メッセージを送信する（ステップＳ１２０４）。
【００８７】
次に、通報先端末１３０では、監視装置９１０から送信された暗証番号入力メッセージを受信し（ステップＳ１２０５）、利用者による暗証番号入力を受付（ステップＳ１２０６）、監視装置９１０に利用者の暗証番号を送信する（ステップＳ１２０７）。
【００８８】
監視装置９１０では、送受信部９１５６が通報先端末１３０から送信された利用者の暗証番号を受信し（ステップＳ１２０８）、更に、送受信部９１５６は、監視状況情報の要求時の着信番号を利用者の通報先端末１３０の発信者番号として取得する（ステップＳ１２０９）。次に、認証部９１５３は、受信した暗証番号が利用者データベース９１８に登録されているか否かを判断することにより、認証部９１５３が利用者データベース９１８に登録されている利用者であるか否かを照合する（ステップＳ１２１０）。
【００８９】
受信した暗証番号が利用者データベース９１８に登録されていない場合には（ステップＳ１２１０：Ｎｏ）、認証が失敗したと判断し、通報先端末１３０にエラーメッセージを送信して、利用者は再度の暗証番号入力が必要となる（ステップＳ１２１１）。一方、受信した暗証番号が利用者データベース９１８に登録されている場合には（ステップＳ１２１０：Ｙｅｓ）、利用者が正当な利用者であると認証する。
【００９０】
更に、認証部９１５３は、取得した発信者番号が監視状況情報を要求した利用者の暗証番号に対応する通報先として、利用者データベース９１８に登録されているか否かを照合する（ステップＳ１２１２）。取得した発信者番号が暗証番号に対応する通報先として利用者データベース９１８に登録されていない場合は（ステップＳ１２１２：Ｎｏ）、登録部９１５７は、取得した発信者番号を新たな通報先として、利用者データベース９１８に登録する（ステップＳ１２１３）。
【００９１】
一方、取得した発信者番号が暗証番号に対応する通報先として利用者データベース９１８に登録されている場合は（ステップＳ１２１２：Ｙｅｓ）、取得した発信者番号の利用者データベース９１８への登録は行われない。
【００９２】
次に、監視状況取得部１１５１は、監視状況情報を取得し（ステップＳ１２１４）、送受信部９１５６によって、利用者の通報先端末１３０の通報先に監視状況情報を送信する（ステップＳ１２１５）。
【００９３】
通報先端末１３０では、監視装置９１０から送信された監視状況情報を受信し（ステップＳ１２１６）、監視状況情報を出力する（ステップＳ１２１７）。
【００９４】
次に、監視装置９１０では、優先順位変更部９１５２は、監視状況情報を要求した利用者の発信者番号を優先順位テーブル９１７の現在の優先順位「１」に設定する（ステップＳ１２１８）。優先順位変更部９１５２は、優先順位テーブル９１７の現在の優先順位の「２」「３」「４」に監視状況情報を要求した利用者以外の利用者の通報先端末１３０の発信者番号を初期設定の優先順位の順番で設定する（ステップＳ１２１９）。
【００９５】
図１３は、利用者により監視状況情報の要求がされた場合の優先順位の変更前と変更後の優先順位テーブル９１７である。図１３に示すように、初期設定の優先順位が父の通報先、母の通報先、子供の通報先の順に設定されており、変更前の現在の優先順位が母の通報先、父の通報先、子供の通報先の順で設定されている。そして、暗証番号が照合された新たな発信者番号の通報先端末１３０から監視状況情報を要求されると、変更後の現在の優先順位について新たな発信者番号である通報先が最上位となり、次順位からは初期設定の優先順位である父の通報先、母の通報先、子供の通報先の順に設定されることになる。
【００９６】
センサ１１１ａ〜１１１ｎが異常を検知すると、異常通報部１１５４は、異常を検知したセンサ１１１ａ〜１１１ｎの異常検知情報を優先順位テーブル９１７の現在における「１」に設定されている通報先である発信者番号の通報先端末１３０に送信する（ステップＳ１２２０）。異常通報部１１５４は、通報先端末１３０から応答があるか否かを判断する（ステップＳ１２２１）。
【００９７】
通報先端末１３０から応答があった場合には、他の通報先である通報先端末１３０への通報は送信せず、処理を抜ける（ステップＳ１２２１：Ｙｅｓ）。通報先端末１３０からの応答がなかった場合には（ステップＳ１２２１：Ｎｏ）、異常通報部１１５４は、異常を検知したセンサ１１１ａ〜１１１ｎの異常検知情報を優先順位テーブル９１７の現在における「２」に設定されている通報先である発信者番号の通報先端末１３０に送信する（ステップＳ１２２２）。異常通報部１１６５は、通報先端末１３０から応答があるか否かを判断する（ステップＳ１２２３）。
【００９８】
通報先端末１３０から応答があった場合には、他の通報先である通報先端末１３０への通報は送信せず、処理を抜ける（ステップＳ１２２３：Ｙｅｓ）。通報先端末１３０からの応答がなかった場合には（ステップＳ１２２３：Ｎｏ）、異常通報部１１５４は、異常を検知したセンサ１１１ａ〜１１１ｎの異常検知情報を優先順位テーブル９１７の現在における「３」に設定されている通報先である発信者番号の通報先端末１３０に送信する（ステップＳ１２２４）。異常通報部１１６５は、通報先端末１３０から応答があるか否かを判断する（ステップＳ１２２５）。
【００９９】
通報先端末１３０から応答があった場合には、他の通報先である通報先端末１３０への通報は送信せず、処理を抜ける（ステップＳ１２２５：Ｙｅｓ）。通報先端末１３０からの応答がなかった場合には（ステップＳ１２２５：Ｎｏ）、異常通報部１１５４は、異常を検知したセンサ１１１ａ〜１１１ｎの異常検知情報を優先順位テーブル９１７の現在における「４」に設定されている通報先である発信者番号の通報先端末１３０に送信する（ステップＳ１２２６）。異常通報部１１５４は、通報先端末１３０から応答があるか否かを判断する（ステップＳ１２２７）。
【０１００】
通報先端末１３０からの応答があった場合には（ステップＳ１２２７：Ｙｅｓ）、異常検知通報処理は終了する。通報先端末１３０からの応答がなかった場合には、再度、異常検知情報を優先順位テーブル１１７の現在における「１」に設定されている通報先である発信者番号の通報先端末１３０に送信する（ステップＳ１２２７：Ｎｏ）。
【０１０１】
なお、取得した発信者番号が暗証番号に対応する通報先として利用者データベース９１８に登録されている場合は（ステップＳ１２１２：Ｙｅｓ）、ステップＳ１２１８以降の処理において、新たな通報先は登録されないため、優先順位「１」「２」「３」までの設定になり、優先順位「４」の設定は不要となる。
【０１０２】
このように、本実施の形態では、送受信部９１５６によって利用者の通報先端末１３０から監視状況情報の要求を受信するとともに通報先端末１３０の発信者番号を取得し、その発信者番号が異常検知情報の通報先として利用者データベース９１８に登録されていない場合には、監視状況情報を要求した利用者の通報先である新たな発信者番号の優先順位が最上位に変更され、最上位以外の利用者は初期設定の優先順位に従って変更される。そのため、監視対象から離れた場所から優先順位の設定操作を行うために監視装置９１０まで戻ることが不要となり、更に、最上位以外の利用者について優先順位の設定操作を行うことが不要となり、遠隔地からでも監視状況の確認と同時に優先順位の変更を簡易に行うことができる。また、優先順位の変更によって、監視領域の状況に応じた適切な通報先に異常検知情報をより迅速に通報することができる。
【０１０３】
尚、第１の実施の形態及び第２の実施の形態では、３名又は４名の通報先を使用しているが、これに限定されるものではなく、複数の通報先を利用することができる。また、新たな通報先についても、複数の通報先が登録できるように構成してもよい。
【０１０４】
（第２の実施の形態の変形例１）
第２の実施の形態では、通報先端末１３０の発信者番号を取得して、その発信者番号が異常検知情報の通報先として利用者データベース９１８に登録されていない場合には、登録部９１５７によって利用者データベース９１８に登録しているが、暗証番号と同時に新たな通報先を入力送信し、監視装置９１０では、送受信部９１５６によって暗証番号及び新たな通報先を受信し、その入力された新たな通報先が異常検知情報の通報先として利用者データベース９１８に登録されていない場合には、登録部９１５７によって利用者データベース９１８に登録し、その新たな通報先に基づいて、異常検知情報の通報先の優先順位を変更するように構成してもよい。
【０１０５】
（第２の実施の形態の変形例２）
第２の実施の形態では、通報先端末１３０から監視状況情報を要求するごとに、優先順位が変更されるが、受信した発信者番号を一時的な措置として優先順位テーブル９１７の優先順位の最上位に変更するように構成してもよい。すなわち、利用者の通報先端末１３０からの発信者番号を、優先順位テーブル９１７の優先順位における最上位の通報先に変更し、最上位以外の通報先は初期設定の優先順位に従って変更する。そして、所定時間の経過後に、優先順位テーブル９１７の優先順位を初期設定の優先順位に戻すように構成してもよい。上記所定時間は、監視対象の状況に応じて任意に設定できるように構成してもよい。
【０１０６】
（第２の実施の形態の変形例３）
第２の実施の形態の監視システムは、利用者により通報先端末から監視状況情報の要求がされた場合であって、その通報先端末の発信者番号が異常検知情報の通報先として利用者データベースに登録されていない場合に、その発信者番号を利用者データベースに登録し、その発信者番号の優先順位が最上位となり、最上位以外の利用者については、初期設定の優先順位に従って変更される。しかし、最上位以外の利用者については、直前の優先順位に従って変更されるよう構成してもよい。
【０１０７】
図１４−１、図１４−２は、第２の実施の形態の変形例にかかる通報先端末１３０によって監視状況情報の要求がされた場合における異常検知通報処理の手順を示すフローチャートである。
【０１０８】
利用者の通報先端末１３０から、監視装置１１０への発呼から、監視状況情報の要求をした利用者の発信者番号を優先順位変更部９１５２によって優先順位テーブル９１７の現在の優先順位「１」に設定するまでの処理および流れ（ステップＳ１４０１〜Ｓ１４１８）については、図１２−１、図１２−２の第２の実施の形態で説明した処理および流れ（ステップ１２０１〜Ｓ１２１８）と同様である。
【０１０９】
次に、優先順位変更部９１５２は、優先順位テーブル９１７の現在の優先順位の「２」「３」「４」に監視状況情報を要求した利用者以外の利用者の発信者番号を直前の優先順位の順番で設定する（ステップＳ１４１９）。
【０１１０】
図１５は、利用者により監視状況情報の要求がされた場合の優先順位の変更前と変更後の優先順位テーブル９１７である。図１５に示すように、初期設定の優先順位が父の発信者番号、母の発信者番号、子供の発信者番号の順に設定されており、変更前の現在の優先順位が母の発信者番号、父の発信者番号、子供の発信者番号の順で設定されている。そして、暗証番号が照合された新たな発信者番号の通報先端末１３０から監視状況情報を要求されると、変更後の現在の優先順位について新たな発信者番号である通報先が最上位となり、次順位からは直前の優先順位である母の発信者番号、父の発信者番号、子供の発信者番号の順に変更されることになる。
【０１１１】
センサ１１１ａ〜１１１ｎが異常を検知した場合に、異常通報部１１５４の異常を検知したセンサ１１１ａ〜１１１ｎの異常検知情報を優先順位テーブル９１７の現在における「１」で設定されている通報先である発信者番号の通報先端末１３０への送信以降の処理および流れ（ステップＳ１４２０〜Ｓ１４２７）については、図１２−２の第２の実施の形態で説明した処理および流れ（ステップＳ１２２０〜Ｓ１２２７）と同様である。
【０１１２】
なお、第２の実施の形態と同様に、取得した発信者番号が暗証番号に対応する通報先として利用者データベース９１８に登録されている場合は（ステップＳ１４１２：Ｙｅｓ）、ステップＳ１４１８以降の処理において、新たな通報先は登録されないため、優先順位「１」「２」「３」までの設定になり、優先順位「４」の設定は不要となる。
【０１１３】
このように、本実施の形態では、送受信部９１５６によって利用者の通報先端末１３０から監視状況情報の要求を受信するとともに通報先端末１３０の発信者番号を取得し、その発信者番号が異常検知情報の通報先として利用者データベースに登録されていない場合には、監視状況情報を要求した利用者の通報先である新たな発信者番号の優先順位が最上位に変更され、最上位以外の利用者は直前の優先順位に従って変更される。そのため、監視対象から離れた場所から優先順位の設定操作を行うために監視装置９１０まで戻ることが不要となり、更に、最上位以外の利用者の優先順位の設定操作を行うことが不要となり、遠隔地からでも監視状況の確認と同時に優先順位の変更を簡易に行うことができる。また、優先順位の変更によって、監視領域の状況に応じた適切な通報先に異常検知情報をより迅速に通報することができる。
【０１１４】
（第１の実施の形態及び第２の実施の形態の変形例１）
第１の実施の形態及び第２の実施の形態では、通報先端末１３０から監視状況情報を要求すると、優先順位が変更されるが、利用者が監視状況情報の要求を行うと同時に、利用者に優先順位テーブル１１７、９１７の優先順位を変更するか否かの確認をして、その結果、優先順位の変更を行うよう選択された場合に優先順位を変更するように構成してもよい。また、利用者が現在の優先順位を把握できるように、監視状況情報の要求を行った際に現在の優先順位を表示するように構成してもよい。
【０１１５】
（第１の実施の形態及び第２の実施の形態の変形例２）
第１の実施の形態及び第２の実施の形態では、通報先端末１３０から監視状況情報を要求すると、監視状況情報を要求した利用者のＩＤ又は発信者番号が最上位に変更され、最上位以外の利用者のＩＤ又は発信者番号は初期設定の優先順位に従って変更されるが、複数のＩＤ又は発信者番号が設定されている場合には、特定のＩＤ又は発信者番号について監視状況情報の要求がなされても優先順位を変更しないよう設定できるように構成してもよい。また、特定のＩＤ又は発信者番号のみ、変更されるように設定できるように構成してもよい。例えば、優先順位「２」のＩＤ又は発信者番号は固定しておき、優先順位「１」のＩＤ又は発信者番号のみ当番制と定めた場合、各利用者が通報先端末１３０から監視状況情報を要求すると、そのＩＤ又は発信者番号の当番が交代できるように設定する場合などである。
【産業上の利用可能性】
【０１１６】
本発明は、警備装置の他、例えば、河川の増水や土砂崩れなどの状況を監視して、通常時は河川の水位や地盤のずれなどの監視状況を確認できるとともに、警戒水位に達した場合はまたは警戒すべき地盤のずれが生じた場合などに警告を送信するような監視装置にも適用可能である。また、本発明は、農作物の生育状況を管理する目的で、外気温、ビニルハウス内の温度、冷暖房設備または換気設備等の稼働状況などを監視状況として把握するためにセンサ等を設け、気温などが設定範囲外となった場合や、設備に異常が発生した場合に通報するような監視装置にも適用可能である。
【０１１７】
また、本発明は、異常事態が検知された際に利用者が設定した任意の通報先に通報する自己完結型の監視装置、または、利用者が設定した通報先に通報するセルフ監視の設定機能を備えた監視装置などに適用可能である。また、本発明は、異常事態を検知した場合の通報に限らず、定期的に監視対象の状態を通報するような監視装置において、通報先を自動的に変更する場合にも応用できる。この場合、監視状況の確認のために監視状況情報を要求した者に対して、その後の状態を通報することに利用できる。
【図面の簡単な説明】
【０１１８】
【図１】第１の実施の形態にかかる監視システムの構成を示すブロック図である。
【図２】第１の実施の形態にかかる利用者データベースのデータ構成の一例を示す説明図である。
【図３】第１の実施の形態にかかる優先順位テーブルのデータ構成の一例を示す説明図である。
【図４−１】第１の実施の形態にかかる異常検知通報処理の手順を示すフローチャートである。
【図４−２】第１の実施の形態にかかる異常検知通報処理の手順（続き）を示すフローチャートである。
【図５】通報先端末に送信されたＩＤ入力画面の表示例を示す模式図である。
【図６】利用者により監視状況情報の要求がされた場合の優先順位の変更前と変更の優先順位テーブルのデータ構成の一例を示す説明図である。
【図７−１】第１の実施の形態の変形例にかかる異常検知通報処理の手順を示すフローチャートである。
【図７−２】第１の実施の形態の変形例にかかる異常検知通報処理の手順（続き）を示すフローチャートである。
【図８】利用者により監視状況情報の要求がされた場合の優先順位の変更前と変更の優先順位テーブルのデータ構成の一例を示す説明図である。
【図９】第２の実施の形態にかかる監視システムの構成を示すブロック図である。
【図１０】第２の実施の形態にかかる利用者データベースのデータ構成の一例を示説明図である。
【図１１】第２の実施の形態にかかる優先順位テーブルのデータ構成の一例を示す説明図である。
【図１２−１】第２の実施の形態にかかる異常検知通報処理の手順を示すフローチャートである。
【図１２−２】第２の実施の形態にかかる異常検知通報処理の手順（続き）を示すフローチャートである。
【図１３】利用者により監視状況情報の要求がされた場合の優先順位の変更前と変更後の優先順位テーブルのデータ構成の一例を示す説明図である。
【図１４−１】第２の実施の形態の変形例にかかる異常検知通報処理の手順を示すフローチャートである。
【図１４−２】第２の実施の形態の変形例にかかる異常検知通報処理の手順（手順）を示すフローチャートである。
【図１５】利用者により監視状況情報の要求がされた場合の優先順位の変更前と変更後の優先順位テーブルのデータ構成の一例を示す説明図である。
【符号の説明】
【０１１９】
１００，９００  監視システム
１１０，９１０  監視装置
１１１ａ〜１１１ｎ  センサ
１１２  マイク
１１３  スピーカ
１１４  入出力制御部
１１５  制御部
１１６  通信制御部
１１７，９１７  優先順位テーブル
１１８，９１８  利用者データベース
１１５１  監視状況取得部
１１５２，９１５２  優先順位変更部
１１５３，９１５３  認証部
１１５４  異常通報部
１１５５  音声データ制御部
１１５６，９１５６  送受信部
９１５７  登録部
１２０  ネットワーク
１３０  通報先端末
１４０  監視センタ
【図１】
2006285687.tif 000003
【図２】
2006285687.tif 000004
【図３】
2006285687.tif 000005
【図４−１】
2006285687.tif 000006
【図４−２】
2006285687.tif 000007
【図５】
2006285687.tif 000008
【図６】
2006285687.tif 000009
【図７−１】
2006285687.tif 000010
【図７−２】
2006285687.tif 000011
【図８】
2006285687.tif 000012
【図９】
2006285687.tif 000013
【図１０】
2006285687.tif 000014
【図１１】
2006285687.tif 000015
【図１２−１】
2006285687.tif 000016
【図１２−２】
2006285687.tif 000017
【図１３】
2006285687.tif 000018
【図１４−１】
2006285687.tif 000019
【図１４−２】
2006285687.tif 000020
【図１５】
2006285687.tif 000021